(57)【特許請求の範囲】
【請求項１】
絶縁基板と、この絶縁基板の表面に形成するとともに内周端部を終端部とし外周端部をアース電極部とし前記内周端部と前記外周端部との中間部を入出力電極部とした螺旋状パターンの２つのコイル部とを備え、この２つのコイル部は外周端部を互いに接続するとともに外周端部の直前部を直線形状にし、かつ、２つのコイル部の直前部が互いに対向するように配置して、前記内周端部側の直前部の端部を互いに第１チップコンデンサを介して接続するとともに、２つのコイル部の内一方のコイル部の中間部と内周端部側の直前部の端部との間から第２チップコンデンサを介して中間タップ電極部を引き出し、さらに前記中間タップ電極部を介して前記第２チップコンデンサの一端をグランドに接続して、前記外周端部側の直前部の端部を第１インダクタンス調整部としてトリミング調整可能に構成したＬＣフィルタ。
【請求項２】
コイル部の中間部と内周端部側の直前部の端部との間と第２チップコンデンサとの間を第２インダクタンス調整部とし、前記第２インダクタンス調整部をトリミング調整可能に構成した請求項１に記載のＬＣフィルタ。
【請求項３】
内周端部側の直前部の端部から第２チップコンデンサを介して中間タップ電極部を引き出した請求項１に記載のＬＣフィルタ。
【請求項４】
２つのコイル部の内周端部の終端部を第３インダクタンス調整部とし、前記第３インダクタンス調整部をトリミング調整可能に構成した請求項１に記載のＬＣフィルタ。
【発明の詳細な説明】
【０００１】
【発明の属する技術分野】
本発明は各種電子機器等に用いるＬＣフィルタに関するものである。
【０００２】
【従来の技術】
以下、従来のＬＣフィルタについて図面を参照しながら説明する。
【０００３】
図６は従来のＬＣフィルタの斜視図、図７は同ＬＣフィルタの２つのコイル部を設けた絶縁基板の平面図、図８は同ＬＣフィルタの等価回路図である。
【０００４】
図６、図７において、従来のＬＣフィルタは、絶縁基板１と、この絶縁基板１の表面に設けるとともに内周端部２を終端部とし、外周端部３をアース電極部１１とし、内周端部２と外周端部３との中間部４を入出力電極部１２とした螺旋状パターンからなる２つのコイル部５とを備えている。
【０００５】
また、２つのコイル部５は外周端部３を互いに接続するとともに外周端部３から見て互いに外側巻き（Ａ方向）になるように形成した構成である。
【０００６】
上記構成のＬＣフィルタにおいて、等価回路図は図８に示すようになり、２つのコイル部５に接続したアース電極部１１の直前には、一端をこのアース電極部１１とは反対側に接続し、他端をこのアース電極部１１側に接続した第１コイル１４が設けられ、２つのコイル部５の入出力電極部１２間には第１コンデンサ１５が接続されている。
【０００７】
周波数−減衰量の関係を表す伝送特性波形は図９に示すようになる。
【０００８】
【発明が解決しようとする課題】
上記従来の構成では、挿入損失が大きくなり、図９に示すように伝送特性波形６がその基準周波数帯域（Ｘ）（使用周波数帯域）において減衰してしまうという問題点を有していた。
【０００９】
このように、挿入損失が大きく伝送特性波形６がその基準周波数帯域（Ｘ）において減衰してしまうと、例えば、デジタルコードレス電話等に使用した場合に、感度が悪くなったり、送信出力が小さくなったりして不具合が生じる。
【００１０】
本発明は上記問題点を解決するもので、挿入損失を小さくし、伝送特性波形の基準周波数帯域における減衰を抑制したＬＣフィルタを提供することを目的としている。
【００１１】
【課題を解決するための手段】
上記目的を達成するために本発明は以下の構成を有する。
【００１２】
本発明の請求項１に記載の発明は、２つのコイル部は外周端部を互いに接続するとともに外周端部の直前部を直線形状にし、かつ、２つのコイル部の直前部が互いに対向するように配置して、内周端部側の直前部の端部を互いに第１チップコンデンサを介して接続するとともに、２つのコイル部の内一方のコイル部の中間部と内周端部側の直前部の端部との間から第２チップコンデンサを介して中間タップ電極部を引き出し、さらに前記中間タップ電極部を介して前記第２チップコンデンサの一端をグランドに接続して、前記外周端部側の直前部の端部を第１インダクタンス調整部としてトリミング調整可能に構成したものであり、この構成により、外周端部の直前部を直線形状にしかつ２つのこの直前部が互いに対向するように配置しているので、それぞれインダクタンス成分として機能させることができるとともに、電磁的結合を強くすることができる。また、この構成により、コイル部の中間部と内周端部側の直前部の端部との間と第２チップコンデンサとの間のインダクタンス成分と、第２チップコンデンサのコンデンサ成分とによって、伝送特性波形において２次高調波が発生する２次高調波周波数帯域、３次高調波が発生する３次高調波周波数帯域等を減衰し、使用周波数帯域である基準周波数帯域以外の高周波数帯域を減衰できる。
【００１４】
さらに、外周端部側の直前部の端部を第１インダクタンス調整部としているので、直前部のインダクタンス成分の調整が容易であるとともに、調整の有効度も大きい。
【００１５】
本発明の請求項２に記載の発明は、請求項１に記載の発明において、２つのコイル部の内一方のコイル部の中間部と内周端部側の直前部の端部との間から第２チップコンデンサを介して中間タップ電極部を引き出した構成であり、この構成により、コイル部の中間部と内周端部側の直前部の端部との間と第２チップコンデンサとの間のインダクタンス成分と、第２チップコンデンサのコンデンサ成分とによって、伝送特性波形において２次高調波が発生する２次高調波周波数帯域、３次高調波が発生する３次高調波周波数帯域等を減衰し、使用周波数帯域である基準周波数帯域以外の高周波数帯域を減衰できる。
【００１６】
本発明の請求項２に記載の発明は、請求項１に記載の発明において、コイル部の中間部と内周端部側の直前部の端部との間と第２チップコンデンサとの間を第２インダクタンス調整部とし、前記第２インダクタンス調整部をトリミング調整可能に構成したものであり、この構成により、コイル部の中間部と内周端部側の直前部の端部との間と第２チップコンデンサとの間のインダクタンス成分の調整が容易であるとともに、調整の有効度も大きい。
【００１７】
本発明の請求項３に記載の発明は、請求項１に記載の発明において、内周端部側の直前部の端部から第２チップコンデンサを介して中間タップ電極部を引き出した構成であり、この構成により、伝送特性波形の基準周波数帯域に対して反射特性波形への影響をほとんど与えることなく、基準周波数帯域における減衰を抑制できる。
【００１８】
本発明の請求項４に記載の発明は、請求項１に記載の発明において、コイル部の内周端部の終端部を第３インダクタンス調整部とし、前記第３インダクタンス調整部をトリミング調整可能に構成したものであり、この構成により、挿入損失を小さくし、伝送特性波形の基準周波数帯域における減衰を抑制することができる。
【００１９】
【発明の実施の形態】
以下、一実施の形態を用いて、本発明の全請求項について図面を参照しながら説明する。
【００２０】
図１は本発明の一実施の形態におけるＬＣフィルタの２つのコイル部を形成した絶縁基板の斜視図、図２は同ＬＣフィルタの平面図、図３は同ＬＣフィルタの等価回路図、図４は同ＬＣフィルタおよび従来のＬＣフィルタの周波数−減衰量の関係を表す伝送特性波形図である。
【００２１】
図１、図２において、本発明の一実施の形態におけるＬＣフィルタは、比誘電率が１０程度の比較的誘電率の高い絶縁基板２１と、この絶縁基板２１の表面に形成するともに、内周端部２２を終端部とし、外周端部２３をアース電極部とし、内周端部２２と外周端部２３との中間部を入出力電極部２４とした螺旋状パターンの２つのコイル部２５とを備えている。外周端部２３から見て内側巻き（Ｂ方向）になるように２つのコイル部２５を形成している。
【００２２】
２つのコイル部２５は、外周端部２３を互いに接続するとともに、外周端部２３の直前部２６を直線形状にし、かつ、２つのコイル部２５の直前部２６が互いに対向するように配置して、内周端部２２側の直前部２６の端部２７を互いに第１チップコンデンサ２８を介して接続するとともに、外周端部２３側の直前部２６の端部２９を第１インダクタンス調整部３０としている。
【００２３】
また、２つのコイル部２５の内一方のコイル部２５の中間部と内周端部２２側の直前部２６の端部２７との間から、第２チップコンデンサ３１を介して中間タップ電極部３２を引き出している。
【００２４】
さらに、コイル部２５の中間部と内周端部２２側の直前部２６の端部２７との間と第２チップコンデンサ３１との間を第２インダクタンス調整部３３とするとともに、コイル部２５の内周端部２２の終端部を第３インダクタンス調整部３４としている。
【００２５】
第１インダクタンス調整部３０、第２インダクタンス調整部３３、第３インダクタンス調整部３４はトリミングして調節する。
【００２６】
このとき、ＬＣフィルタの等価回路図は図３に示すようになる。
【００２７】
２つのコイル部２５の内、一方のアース電極部の直前には一端をこのアース電極部とは反対側に接続し、他端をこのアース電極部側に接続した第１コイル４０が接続されるとともに、他方のアース電極部の直前には一端をこのケース電極部とは反対側に接続し、他端をこのアース電極部側に接続した第２コイル４１が接続される。この第１コイル４０および第２コイル４１は直前部２６によって形成される。
【００２８】
さらに、第１コイル４０の一端および第２コイル４１の一端とは第１コンデンサ４２を介して互いに接続され、２つのコイル部２５は互いに電磁的結合させられるとともに、第１コイル４０と第２コイル４１とが互いに電磁的結合させられる。この第１コンデンサ４２は第１チップコンデンサ２８によって形成される。
【００２９】
そして、第１コイル４０の一端は第３コイル４３の一端と接続され、この第３コイル４３の他端は第２コンデンサ４４の一端と接続され、この第２コンデンサ４４の他端がアース電極部と接続されている。この第３コイル４３は第２インダンタンス調整部３３によって形成され、第２コンデンサ４４は第２チップコンデンサ３１によって形成されている。
【００３０】
このとき、周波数−減衰量を表す周波数特性波形図は図４に示すようになる。
【００３１】
上記構成のＬＣフィルタについて、以下その動作を説明する。
【００３２】
上記のように、外周端部２３の直前部２６を直線形状にし、かつ、２つのこの直前部２６が互いに対向するように配置しているので、それぞれインダクタンス成分として機能させることができるとともに、電磁的結合を強くすることができる。
【００３３】
このとき、内周端部２２側の直前部２６の端部２７を互いに第１チップコンデンサ２８を介して接続しているので、この第１チップコンデンサ２８のコンデンサ成分と直前部２６のインダクタンス成分とによって、挿入損失を小さくし、伝送特性波形３５の基準周波数帯域（Ｘ）における減衰を抑制することができる。特に、第１チップコンデンサ２８は、直前部２６の端部２７と接続しているので、直前部２６のインダクタンス成分に対して第１チップコンデンサ２８のコンデンサ成分を効果的に影響させることができ、挿入損失を小さくし、伝送特性波形３５の基準周波数帯域（Ｘ）における減衰を十分に抑制することができる。２つのコイル部２５の内周端部２２の終端部に形成した第３インダクタンス調整部３４によっても、基準周波数帯域（Ｘ）における減衰は十分に抑制することができる。
【００３４】
さらに、外周端部２３側の直前部２６の端部２９を第１インダクタンス調整部３０としているので、直前部２６のインダクタンス成分の調整が容易であるとともに、調整の有効度も大きい。
【００３５】
また、２つのコイル部２５の中間部と内周端部２２側の直前部２６の端部２７との間と第２チップコンデンサ３１との間のインダクタンス成分と、第２チップコンデンサ３１のコンデンサ成分とによって、伝送特性波形３５において、２次高調波が発生する２次高調波周波数帯域（Ｙ）、３次高調波が発生する３次高調波周波数帯域（Ｚ）等を減衰し、使用周波数帯域である基準周波数帯域（Ｘ）以外の高周波数帯域を減衰することができる。
【００３６】
特に、２つのコイル部２５の中間部と内周端部２２側の直前部２６の端部２７との間と第２チップコンデンサ３１との間を第２インダクタンス調整部３３としているので、コイル部２５の中間部と内周端部２２側の直前部２６の端部２７との間と第２チップコンデンサ３１との間のインダクタンス成分の調整が容易であるとともに、調整の有効度も大きい。
【００３７】
このように本発明の一実施の形態によれば、挿入損失を小さくし、伝送特性波形３５の基準周波数帯域（Ｘ）（使用周波数帯域）における減衰を抑制することができるとともに、２次高調波が発生する２次高調波周波数帯域（Ｙ）、３次高調波が発生する３次高調波周波数帯域（Ｚ）等も減衰し、基準周波数帯域（Ｘ）以外の高周波数帯域を減衰することができる。
【００３８】
なお、内周端部２２側の直前部２６の端部２７から、第２チップコンデンサ３１を介して中間タップ電極部３２を引き出せば、図５に示すように伝送特性波形３５の基準周波数帯域（Ｘ）に対して、反射特性波形３８への影響をほとんど与えることなく、基準周波数帯域（Ｘ）における減衰を抑制できる。
【００３９】
【発明の効果】
以上のように本発明によれば、内周端部側の直前部の端部を互いに第１チップコンデンサを介して接続しているので、この第１チップコンデンサのコンデンサ成分と直前部のインダクタンス成分とによって、挿入損失を小さくし、伝送特性波形の基準周波数帯域における減衰を抑制したＬＣフィルタを提供することができる。
【図面の簡単な説明】
【図１】本発明の一実施の形態におけるＬＣフィルタの斜視図
【図２】同ＬＣフィルタの平面図
【図３】同ＬＣフィルタの等価回路図
【図４】同ＬＣフィルタおよび従来のＬＣフィルタの周波数−減衰量の関係を表す伝送特性波形図
【図５】同ＬＣフィルタの伝送特性波−反射特性波の関係を表す伝送特性波形図
【図６】従来のＬＣフィルタの斜視図
【図７】同ＬＣフィルタの平面図
【図８】同ＬＣフィルタの等価回路図
【図９】同ＬＣフィルタの周波数−減衰量の関係を表す伝送特性波形図
【符号の説明】
２１  絶縁基板
２２  内周端部
２３  外周端部
２４  入出力電極部
２５  コイル部
２６  直前部
２７  端部
２８  第１チップコンデンサ
２９  端部
３０  第１インダクタンス調整部
３１  第２チップコンデンサ
３２  中間タップ電極部
３３  第２インダクタンス調整部
３４  第３インダクタンス調整部
３５  伝送特性波形
３８  反射特性波形
４０  第１コイル
４１  第２コイル
４２  第１のコンデンサ
４３  第３コイル
４４  第２コンデンサ
【図１】
0003680771.tif 000002
【図２】
0003680771.tif 000003
【図３】
0003680771.tif 000004
【図４】
0003680771.tif 000005
【図５】
0003680771.tif 000006
【図６】
0003680771.tif 000007
【図７】
0003680771.tif 000008
【図８】
0003680771.tif 000009
【図９】
0003680771.tif 000010